(57)【要約】【課題】合成すべきキャラクターや背景を任意に得ることのできる撮影出力システム及び撮影ボックスの提供を課題としている。【解決手段】人物等の主被写体ｂを撮影するための１個または複数個の第１撮影手段１と、背景等の副被写体ｃを撮影するための１個または複数個の第２撮影手段２と、前記第１撮影手段１により得られた画像と前記第２撮影手段２により得られた画像とを合成する合成手段５１と、合成された画像を出力する出力手段５２とを備える。【選択図】    図１
2004364100.tif 000002
【特許請求の範囲】
【請求項１】
人物等の主被写体を撮影するための１個または複数個の第１撮影手段と、
背景等の副被写体を撮影するための１個または複数個の第２撮影手段と、
前記第１撮影手段により得られた画像と前記第２撮影手段により得られた画像とを合成する合成手段と、
合成された画像を出力する出力手段と、
を備えたことを特徴とする撮影出力システム。
【請求項２】
前記第１撮影手段及び前記第２撮影手段が設けられた撮影ボックスを備えている請求項１に記載の撮影出力システム。
【請求項３】
前記第１撮影手段と第２撮影手段の少なくともいずれか一方のアングル及び／又は位置が変更可能となされていることを特徴とする請求項１又は請求項２に記載の撮影出力システム。
【請求項４】
前記撮影ボックス内に、副被写体を載置しうる載置部を備えている請求項２又は請求項３に記載の撮影出力システム。
【請求項５】
請求項２に記載された撮影ボックスであって、
人物等の主被写体を撮影するための１個または複数個の第１撮影手段と、
背景等の副被写体を撮影するための１個または複数個の第２撮影手段と、
を備えたことを特徴とする撮影ボックス。
【発明の詳細な説明】
【０００１】
【発明の属する技術分野】
この発明は、ゲームセンターや観光地などに備えられ、人物等を撮影するとともに、当該人物の画像と背景やキャラクターなどを合成処理して印刷を行う、いわゆるプリクラ（登録商標）と称されるような撮影出力システム及びこれに用いられる撮影ボックスに関する。
【０００２】
【従来の技術】
人物などを撮影し、当該撮影データにフレームを重ね合わせ、得られた画像がシールとして出力される撮影出力システム（いわゆるプリクラ）は、広くゲームセンターや観光地で見られるにいたり定着した感がある。現在では、これら撮影出力システムの差別化を図るため、当該システムに多様な機能が付加されたものが提案されている。
【０００３】
例えば、ゲームセンター内に配置された撮影ボックス内でポーズをとった人物を当該ボックスに備えられたカメラで撮影し、得られた画像から背景を削除して撮影された人物のみを抜き出す処理を施し、あらかじめ画像データとして準備している背景画像やマスコットなどのキャラクター画像と、抜き出した人物のみの画像を合成して出力する機能が付加された撮影出力システム等が提案されている（例えば特許文献１〜特許文献３参照）。
【０００４】
これら合成機能を有する撮影出力システムは、自分の好みのキャラクターと並んで撮っているような画像が得られたり、いろいろな色や模様の背景やフレームを好みで選択できる等の特徴があるため注目を集めている。また、観光地などにおいては、天気の良い日の景観を背景データとして準備しておけば、悪天候の観光地であっても合成によって天気の良い状態の記念写真を得ることができるため、観光地などに適用してもその機能を十分発揮できるものである。
【０００５】
【特許文献１】
特開平７−２９８１２３号公報
【０００６】
【特許文献２】
特開平１０−２５７５１８号公報
【０００７】
【特許文献３】
特開２００１−５０９１号公報
【０００８】
【発明が解決しようとする課題】
しかしながら、当該撮影出力システムは、あらかじめ準備されている背景データやキャラクターデータの種類が多ければ多いほど、被撮影者の選択肢が広がり、商品価値が高くなる傾向にあるが、選択肢が多ければ背景などの選択操作が複雑で時間がかかるようになり、被撮影者（客）の回転が悪くなって収益が下がるという問題が生じていた。また、あらかじめ準備されている背景などのデータは多いといえど限定的であり、被撮影者がそれぞれ有するニーズの全てを満足させることはできなかった。
【０００９】
本発明は上記従来の問題を解決するためになされたものであり、合成すべきキャラクターや背景を簡単かつ任意に得ることのできる撮影出力システム及び撮影ボックスの提供を課題としている。
【００１０】
【課題を解決するための手段】
本発明に係る撮影出力システムは、人物等の主被写体を撮影するための１個または複数個の第１撮影手段と、背景等の副被写体を撮影するための１個または複数個の第２撮影手段と、前記第１撮影手段により得られた画像と前記第２撮影手段により得られた画像とを合成する合成手段と、合成された画像を出力する出力手段とを備えたことを特徴としている。
【００１１】
当該特徴を備えた撮影出力システムは、主被写体を撮影する第１撮影手段の他に、副被写体を撮影する第２撮影手段を備えているため、自ら準備した合成用のぬいぐるみやミニカー、模様のあるカーテンや写真などを第２撮影手段で撮影し、これとは別に第１撮影手段で人物などを撮影し、これらを合成して合成画像を出力することができる。
【００１２】
従って、本発明によれば、合成用のキャラクターや写真等を、装置にあらかじめ登録されたデータ数に依存することなく任意に選択することができるため、より撮影者の興味を引く撮影出力システムとすることができる。
【００１３】
また、副被写体の選択をコンピュータ画面等の上で行うのではなく、ぬいぐるみや写真などの現実の物で選択することができるため、より直感的な作業で選択することができ、コンピュータ等の操作に不慣れな人々にも容易に受け入れられることができる。
【００１４】
さらに、副被写体の選択作業は、撮影出力システムに依存することなく当該システム外のいずれの場所でも行うことができるため、撮影出力にかかる一連の行程を短縮化でき、撮影出力システム一台における被撮影者の回転率を向上させることができる。
【００１５】
また、本発明に係る撮影出力システムは、前記第１撮影手段及び前記第２撮影手段が設けられた撮影ボックスを備えていることが望ましい。
【００１６】
当該撮影ボックスを備えることで、撮影出力システムの移動や設置を容易に行うことができるようになる。
【００１７】
また、本発明に係る撮影出力システムは、前記第１撮影手段と第２撮影手段の少なくともいずれか一方のアングル及び／又は位置が変更可能とすることが好ましい。
【００１８】
撮影手段のアングルや位置が変更可能であれば、人物などの主被写体やぬいぐるみやミニカーや写真などの副被写体とのアングルや位置関係を調整することで、各被写体の撮影状態（例えば目線の方向など）を一致させたり、かけ離れた状態にすることができる。従って、合成後の画像をあたかも実物大のぬいぐるみと並んでいるような画像や、あたかもミニカーに乗車しているような画像、現実にはあり得ない状態となされた画像とすることができ、非常に興趣性に富んだ撮影出力システムとすることができる。
【００１９】
また、本発明に係る撮影出力システムは、前記撮影ボックス内に、副被写体を載置しうる載置部を備えることが好ましい。
【００２０】
撮影出力システムに載置部が備わっていれば、副被写体と第２撮影手段との位置関係を容易に定めることができ、撮影のための準備時間を短縮させることができる。
【００２１】
また、上記撮影システムに備えられる撮影ボックスは、人物等の主被写体を撮影するための１個または複数個の第１撮影手段と、背景等の副被写体を撮影するための１個または複数個の第２撮影手段と、を備えることが好ましい。
【００２２】
当該撮影ボックスとすることにより、前述の撮影出力システムを構築することができる。
【００２３】
【発明の実施の形態】
次にこの発明の一実施形態を説明する。
【００２４】
図１はこの発明の一実施形態に係る撮影出力システムａ及び当該システムに備えられた撮影ボックス４の概略を示す図面である。
【００２５】
当該撮影ボックス４は、立った状態の人間を数名収容することができる断面矩形の筐体４０と、当該筐体４０内部に配置される第１撮影手段としての１個のデジタルカメラ１、第２撮影手段としての１個のデジタルカメラ２を備えている。
【００２６】
前記デジタルカメラ１は、前記筐体４０内部の奥側壁面（図面上正面）に設けられている。当該デジタルカメラ１は、筐体４０内部に存在する主被写体ｂ（図示せず）を撮影するためのものであり、ズーム機能を備えたもの又はズームが固定のものが用いられている。
【００２７】
また、デジタルカメラ１は上下に伸びたレール１０上に、手動又は電動により上下移動可能に取り付けられている。また、手動又は電動により仰俯方向に角度（アングル）を変更することもできるものとなされている。これにより、主被写体であるユーザーがカメラ１の上下方向の高さ位置及び角度を好みに応じて任意に設定できるものとなされている。
【００２８】
デジタルカメラ２は、前記筐体４０の奥側壁面に設けられた窪み状の副被写体収容部３０の左側面に設けられている。当該デジタルカメラ２は、副被写体収容部３０に収容された副被写体ｃを撮影するためのものである。
【００２９】
このデジタルカメラ２は前記主被写体撮影用デジタルカメラ１と同様に、ズーム機能を有するか、又はズームが固定であり、また、数センチから数十センチの範囲で接写可能な構成となされている。
【００３０】
さらに、デジタルカメラ２は上下に伸びたレール２０上に、手動又は電動により上下移動可能に取り付けられている。また、手動又は電動により仰俯方向に角度（アングル）を変更することもできるものとなされている。これにより、ユーザーがカメラ２の上下方向の高さ位置及び角度を好みに応じて任意に設定できるものとなされている。
【００３１】
なお、この実施形態では、前述したように、デジタルカメラ１，２ともに位置、角度のいずれの変更設定もできるようになっているが、位置、角度のみ変更可能としても良い。また、一方のカメラのみ変更可能としても良い。
【００３２】
前記副被写体収容部３０は、ぬいぐるみやミニカー、写真などの副被写体ｃを配置してこれを撮影するための場所であり、底部がぬいぐるみなどの副被写体ｃを載置するための載置部３となされている。なお、副被写体ｃの安定が悪い場合に備え、載置部３に副被写体ｃを立てかけるための壁部材や、副被写体ｃを固定するためのクリップその他の挟持部材、副被写体ｃをつり下げるための鈎状部材などを備えることは任意である。
【００３３】
この実施形態では、さらに、図２に拡大して示すように、副被写体収容部３０の背部側壁３４（図中右側）に、背景画が印刷されたボードである副被写体ｄを挿脱することのできるように、Ｌ字状のレールが上下に配置されている。
【００３４】
このように、副被写体ｄは載置部３に載置される場合ばかりでなく、載置部３以外に配置されるものでも構わない。また、副被写体が複数個ある場合には、図２に示すように同時に複数個ある副被写体ｃ、ｄを配置して、カメラ２により一度に撮影しても構わないし、それぞれの副被写体を別々にカメラ２で撮影し、後からそれらを合成するものでも構わない。
【００３５】
また、副被写体はぬいぐるみやミニカーや写真の他、ハンカチやスカーフやカーテンなどの布状物でも良い。例えば、カーテンやついたて、パネルなどを用いた場合には、主被写体ｂの後方にカーテンやついたてを配置する場合よりも、カーテンなどを小型化でき、設備が容易になりコストも安価となる。また、カーテンなどを複数種類用意し、ユーザーが好みのものを選択するようにしても良い。
【００３６】
さらに、前記撮影ボックス４内には、出力手段としての印刷装置５２、操作スイッチ５３、画像確認用モニタ５４、手続確認用表示部５５が設けられている。
【００３７】
前記印刷装置５２は、主被写体撮影用のデジタルカメラ１及び副被写体撮影用のデジタルカメラ２でそれぞれ撮影され、後述する加工合成部５１で合成された画像をシール用紙上に印刷できる機能を有するいわゆるプリンタであり、印刷されたシールを排出口５２ａから排出する。
【００３８】
前記操作スイッチ５３は、撮影から印刷までの各段階における各種の操作を、ユーザが行うためのものである。例えば、主被写体の画像と副被写体の画像との合成状態の選択スイッチや、撮影開始スイッチ等によって構成されている。
【００３９】
前記画像確認用モニタ５４は、主被写体と副被写体の合成画像を連続的に表示するものであり、ユーザはこの画像確認用モニタ５４に表示される合成画像を見ながら、主被写体ｂや副被写体ｃのポーズやカメラ１，２のズーム状態等を設定できるようになっている。
【００４０】
前記手続確認用表示部５５は、撮影から印刷までの各段階の操作方法や各段階におけるスイッチ５３の機能等が表示されるものである。
【００４１】
図４は、この実施形態に係る撮影出力システムの電気的な構成を示すブロック図である。
【００４２】
図４において、５１は加工合成部であり、主被写体撮影用デジタルカメラ１で撮影された主被写体の画像を、副被写体撮影用デジタルカメラ２で撮影された画像に貼り付ける等の処理により、２つの画像を合成し、合成後の画像を印刷装置５２に送るものである。
【００４３】
また、５６は制御部であり、２つのデジタルカメラ１、２、加工合成部５１、印刷装置５２，画像確認用モニタ５４、手続確認用表示部５５等を統括的に制御して、撮影から印刷までの工程を実行させる。
【００４４】
なお、加工合成部５１、制御部５６、印刷装置５２は筐体４０の下部に備えられた操作盤５内部に収容されている。
【００４５】
次に、本実施形態に係る撮影出力システムの使用方法について説明する。
【００４６】
あらかじめ、筐体４０の外で、合成を希望するぬいぐるみや背景画である副被写体ｃを選定しておく。
【００４７】
これら選定した副被写体ｃを筐体４０内に持ち込んで、載置部３にぬいぐるみである副被写体ｃを載置し、要すれば別の副被写体ｄを副被写体収容部３０の後部壁面に配置するとともに、デジタルカメラ２でこれらを撮影する。
【００４８】
この撮影状態は常に画像確認用モニタ５４に映し出されているため、ユーザーは背景画に対するぬいぐるみの位置関係を画像を確認しつつ調整することが可能となる。また、デジタルカメラ２の位置やアングルやズーム状態などを操作して調整も行う。
【００４９】
次に、主被写体ｂをデジタルカメラ１で撮影する。主被写体ｂは画像確認用モニタ５４を確認しながらポーズを決めるとともに、デジタルカメラ１の位置やアングルを調整し、自分の気に入った画像状態とした上で、最終的な画像を撮影する。前記モニタ５４にはデジタルカメラ１で撮影した画像については、主被写体ｂのみが抜き出された状態が映し出されるものとなされている。
【００５０】
なお、主被写体ｂの背部にあたる筐体４０の壁部（図示せず）は青やその他の単色のカーテンで構成されており、任意にその色を変更できるものとなされている。このように主被写体ｂの背景を単色とすることで、デジタルカメラ１で撮影した画像から、背景である単色部を消去することが容易となる。
【００５１】
また、背景色を変更することができるのは、主被写体ｂが着用している衣類などの色と削除すべき背景の色とを一致しないよう選択するためである。
【００５２】
上記確定された画像は直ちに出力手段である印刷装置５２に送信され、シール用紙上に印刷されたシール付き写真として排出口５２ａから提供される。
【００５３】
なお、この実施形態では、第１、第２の撮影手段としてデジタルカメラを用いたが、このデジタルカメラはデジタルスチルカメラだけでなく、ビデオカメラであっても良い。
【００５４】
また、撮影ボックス４は、周面及び上面の全てが筐体で被覆される必要はなく、周面及び上面の一部が開放されていても良い。また、筐体ではなくカーテンや垂れ幕状、のれん状のもので囲われていても良い。
【００５５】
本実施形態では静止画を得るためのシステムを説明したが、本願発明は静止画に限定されることはなく、動画を出力するものでもかまわない。動画を出力する方法としては、デジタルデータとして直接携帯電話などのメモリーに出力する場合や、メモリカードに出力する場合が考えられる。また、動画は複数枚の静止画の集合体とも考えられるため、連続する複数枚の静止画を印刷し、いわゆるパラパラ漫画風に出力するものでも構わない。
【００５６】
また、撮影手段１，２はそれぞれ複数備えても構わない。例えば、ぬいぐるみなどの立体物と写真などの平面体を別々に撮影するために、副被写体ｃ撮影用のデジタルカメラ２を２台備えていても構わない。また、複数台の撮影手段１，２から得られる画像から立体的な画像を合成するものでも良い。さらに、撮影手段１，２は仰俯角ばかりでなくあらゆる方向にその角度を変更できるものでも良い。
【００５７】
また、第２撮影手段２としてぬいぐるみなどの小型の副被写体ｃを撮影する実施形態を説明したが、第２撮影手段２の撮影対象は小型の被写体ばかりでなく人間などの大型の被写体を撮影するものであっても構わない。
【００５８】
【発明の効果】
以上説明したように、本願発明に係るに撮影出力システムによれば、自ら準備した合成用の副被写体であるぬいぐるみやミニカー、カーテンや写真などと一緒に撮影し、あるいはこれらを背景にしたような合成画像を出力することができる。
【００５９】
従って、あらかじめ登録されたデータに依存することなく任意にキャラクターや背景用写真を選択することができるため、より撮影者の興味を引く撮影出力システムとすることができる。また、合成するキャラクター等が実物であるため、選択がより直感的に行うことができ、コンピュータ等の操作に不慣れな人々にも容易に受け入れられるものとできる。さらに、副被写体の選択作業は、撮影出力システム外の場所でも行うことができるため、撮影出力にかかる一連の行程を短縮化でき、撮影出力システム一台における被撮影者の回転率を向上させることができる。さらに、副被写体として準備するものもハンカチなどの小さなもので良く、撮影出力システムの大型化を回避することもできる。
【００６０】
また、当該システムが撮影ボックスを備えることで、撮影出力システムの移動や設置を容易に行うことができるようになる。
【００６１】
また、撮影手段の位置やアングルが可変であれば、合成後の主被写体と副被写体のアングルや位置関係を一致させたりわざと不一致とすることもできるため、実際にぬいぐるみと並んでいたり、ミニカーに乗車しているようなリアルな画像や現実にはあり得ないような画像を得ることができ、興趣性に富んだ画像も得ることができる。
【００６２】
しかも、撮影ボックスに載置部を備えれば、第２撮影手段と副被写体との位置関係が固定しやすくなる。
【００６３】
また、本願発明に係る撮影ボックスによれば、上記いずれかに記載されているような撮影出力システムの構築が可能となる
【図面の簡単な説明】
【図１】本発明に係る撮影出力システムの一例を概略的に示す斜視図である。
【図２】載置部に載置された副被写体を拡大し立体的に示す正面図である。
【図３】合成後の画像の一例を示す図である。
【図４】撮影出力システムの電気的構成を示すブロック図である。
【符号の説明】
１…第１撮影手段
２…第２撮影手段
３…載置部
４…撮影ボックス
ｂ…主被写体
ｃ…副被写体
【図１】
2004364100.tif 000003
【図２】
2004364100.tif 000004
【図３】
2004364100.tif 000005
【図４】
2004364100.tif 000006